(57)【要約】【課題】ポータブルオーディオ装置の音声を聞いているユーザがヘッドホンを装着し直さなくとも、固定型オーディオ装置の音声を聴取可能な「オーディオシステム、オーディオ装置、ポータブルオーディオ装置および音声出力切替方法」を提供する。【解決手段】固定型オーディオ装置１０とポータブルオーディオ装置２０とが互いに通信可能か否か判断し、固定型オーディオ装置１０とポータブルオーディオ装置２０とが互いに通信可能と判断した場合であって、固定型オーディオ装置１０に対するユーザからの音声の再生操作を操作検出部３１にて検出したときに、固定型オーディオ装置１０で再生された音声をポータブルオーディオ装置２０から出力するように音声出力系統を切り替えるようにして、ユーザがポータブルオーディオ装置２０用の第２のヘッドホン２６から固定型オーディオ装置１０用の第１のヘッドホン１６へ装着し直すことなく、固定型オーディオ装置１０の音声を視聴できるようにする。【選択図】        図１
2008147900.tif 000002
【特許請求の範囲】
【請求項１】
第１の装置と第２の装置との間の通信が可能か否か判断する認証部と、
上記第１の装置に対するユーザからの音声の再生操作を検出する操作検出部と、
上記認証部により上記通信が可能と判断された場合であって、上記操作検出部にて上記第１の装置に対する再生操作が検出されたときに、上記第１の装置で再生された音声を上記第２の装置から出力するように音声出力系統を切り替える切替部とを備えたことを特徴とするオーディオシステム。
【請求項２】
上記第１のオーディオ装置が固定型オーディオ装置であり、上記第２のオーディオ装置がポータブルオーディオ装置であることを特徴とする請求項１に記載のオーディオシステム。
【請求項３】
上記第１のオーディオ装置が固定型オーディオ装置であり、上記第２のオーディオ装置がポータブルオーディオ装置に接続される視聴装置であることを特徴とする請求項１に記載のオーディオシステム。
【請求項４】
ポータブルオーディオ装置と通信可能か否か判断する第１の認証部と、
ユーザからの音声の再生操作を検出する操作検出部と、
上記第１の認証部で通信可能と判断された場合であって、上記操作検出部にてユーザの再生操作が検出されたときに、再生音声の出力先を上記ポータブルオーディオ装置に切り替える出力先切替部と、
上記再生音声を出力するよう上記ポータブルオーディオ装置に指示する指示部とを備えたことを特徴とするオーディオ装置。
【請求項５】
請求項４に記載のオーディオ装置とともに使用するポータブルオーディオ装置であって、
上記オーディオ装置と通信可能か否か判断する第２の認証部と、
上記第２の認証部で通信可能と判断された場合であって、上記オーディオ装置の指示部から指示があったときに、上記オーディオ装置の再生音声を出力するように出力音声を切り替える出力音声切替部とを備えたことを特徴とするポータブルオーディオ装置。
【請求項６】
ポータブルオーディオ装置と固定型オーディオ装置とが通信可能か否か判断する第１のステップと、
上記固定型オーディオ装置に対するユーザからの音声の再生操作があったか否か判断する第２のステップと、
上記第１のステップで通信可能と判断された場合であって、上記第２のステップで上記固定型オーディオ装置に対するユーザからの音声の再生操作が検出されたときに、上記固定型オーディオ装置において、再生音声の出力先を上記ポータブルオーディオ装置に切り替える第３のステップと、
上記固定型オーディオ装置が、上記再生音声を出力するように上記ポータブルオーディオ装置に指示する第４のステップと、
上記ポータブルオーディオ装置が、上記第４のステップの指示に従って、上記再生音声を出力するよう出力音声を切り替える第５のステップとを備えたことを特徴とする音声出力切替方法。
【発明の詳細な説明】
【技術分野】
【０００１】
本発明は、オーディオシステム、オーディオ装置、ポータブルオーディオ装置および音声出力切替方法に関し、特に、ヘッドホンやイヤホンに音声を出力する技術に用いて好適なものである。
【背景技術】
【０００２】
車のリア席でＤＶＤやＴＶ等を視聴するリアシートエンターテイメントは急激に装着が進んできている。リア席では、専用のワイヤレスヘッドホンを使うことにより音声を聴取することができる。一方、近年ポータブルオーディオ装置の普及により、常にポータブルオーディオ装置を持ち歩いて音楽を楽しむユーザが多くなってきている。ポータブルオーディオ装置にて音声を聴取するにも基本的にヘッドホンが使われる。また、今後ポータブルオーディオ装置でもワイヤレス通信機能が進むことが予想される。
【０００３】
ところで、ユーザがポータブルオーディオ装置に記憶されている音楽をヘッドホンで聞きながら車のリア席に乗り込んだ場合、リア席のオーディオ装置でＤＶＤ等の音声を聴取するには、ポータブルオーディオ装置の再生を停止してヘッドホンを外し、わざわざリア席用のヘッドホンに装着し直してからリア席のオーディオ装置の操作をする必要があった。
【０００４】
なお、リア席側のオーディオ装置でヘッドホンのプラグが差し込まれたことを検出したときに音場を切り替える技術が提供されている（例えば、特許文献１参照）。
【特許文献１】特開２００５−３４１４２６号公報
【発明の開示】
【発明が解決しようとする課題】
【０００５】
しかしながら、上記特許文献１に記載の技術は車内での音場の切替を行う技術であり、やはりユーザはリア席側のヘッドホンに装着し直さないと、リア席側のオーディオ装置から提供される音声を聴取することができないという問題があった。
【０００６】
本発明は、このような問題を解決するために成されたものであり、ポータブルオーディオ装置の音声を聞いているユーザがヘッドホンを装着し直さなくとも、固定型オーディオ装置の音声を聴取できるようにすることを目的とする。
【課題を解決するための手段】
【０００７】
上記した課題を解決するために、本発明では、第１の装置（例えば、固定型オーディオ装置）と第２の装置（例えば、ポータブルオーディオ装置）とが互いに通信可能か否か判断し、第１の装置と第２の装置とが互いに通信可能と判断した場合であって、第１の装置に対するユーザからの音声の再生操作を検出したときに、第１の装置で再生された音声を第２の装置から出力するように音声出力系統を切り替えるようにしている。
【発明の効果】
【０００８】
上記のように構成した本発明によれば、固定型オーディオ装置の操作を行うだけで、ポータブルオーディオ装置用のヘッドホンから出力される音声がポータブルオーディオ装置の再生音声から固定型オーディオ装置の再生音声に切り替えられるので、ユーザはポータブルオーディオ装置用のヘッドホンを固定型オーディオ装置用のヘッドホンに装着し直すことなく、固定型オーディオ装置の再生音声を楽しむことができるようになる。
【発明を実施するための最良の形態】
【０００９】
以下、本発明の一実施形態を図面に基づいて説明する。図１は、本実施形態によるオーディオシステムの構成例を示す図である。図１において、１０は固定型オーディオ装置（本発明の第１の装置に相当）、２０はポータブルオーディオ装置（本発明の第２の装置に相当）である。固定型オーディオ装置１０は、再生部１１、出力先切替部１２、Ｂｌｕｅｔｏｏｔｈ通信部１３、操作部１４およびコントローラ１５を備えている。また、ポータブルオーディオ装置２０は、再生部２１、出力音声切替部２２、Ｂｌｕｅｔｏｏｔｈ通信部２３、操作部２４およびコントローラ２５を備えている。
【００１０】
固定型オーディオ装置１０は、例えば、車内に設置されるものであり、ＤＶＤやＴＶ等を視聴することができる。再生部１１は、ＤＶＤやＴＶ等の音声を再生して出力先切替部１２に出力する。出力先切替部１２はコントローラ１５の指示に従って、音声の出力先を第１のヘッドホン（あるいはイヤホン）１６またはＢｌｕｅｔｏｏｔｈ通信部１３を通じてポータブルオーディオ装置２０の何れかに切り替える。Ｂｌｕｅｔｏｏｔｈ通信部１３は、コントローラ１５の指示に従ってポータブルオーディオ装置２０と通信を行う。操作部１４は、ユーザから各種操作を受け付ける。固定型オーディオ装置１０には第１のヘッドホン１６が有線で接続されており、ユーザは、再生部１１にて再生される音声を第１のヘッドホン１６にて聴取することができる。
【００１１】
コントローラ１５は、固定型オーディオ装置１０の全体を制御する。このコントローラ１５は、例えば、ＣＰＵ、ＲＯＭおよびＲＡＭから成るマイクロコンピュータにより構成されている。ＲＯＭには、固定型オーディオ装置１０を制御するための各種プログラムが記憶されている。ＣＰＵは、ＲＯＭに記憶されている各種プログラムに従って、ＲＡＭをワークメモリとして使用しながら各種の制御を実行する。コントローラ１５はその機能構成として、操作検出部３１、第１の認証部３２、切替制御部３３および指示部３４を備えている。
【００１２】
操作検出部３１は、ユーザが操作部１４を操作して音声の再生を指示したことを検出する。操作検出部３１は、ユーザからの音声の再生操作を検出すると、再生部１１に音声の再生指示を出す。第１の認証部３２は、Ｂｌｕｅｔｏｏｔｈ通信部１３を制御して認証処理を行い、ポータブルオーディオ装置２０と通信可能か否か判断する。
【００１３】
切替制御部３３は、通常、再生部１１にて再生される音声を第１のヘッドホン１６に出力するよう出力先切替部１２を制御している。一方、切替制御部３３は、第１の認証部３２でポータブルオーディオ装置２０と通信可能と判断された場合であって、操作検出部１３にてユーザの再生操作が検出されたとき、再生部１１にて再生される音声の出力先をＢｌｕｅｔｏｏｔｈ通信部１３を通じてポータブルオーディオ装置２０に切り替えるよう出力先切替部１２を制御する。このとき、指示部３４は、固定型オーディオ装置１０の再生音声を出力するように出力音声の切替を指示するコマンドを、Ｂｌｕｅｔｏｏｔｈ通信部１３を通じてポータブルオーディオ装置２０に送信する。
【００１４】
ポータブルオーディオ装置２０は、例えば、多数の曲（音楽データ）が記憶された図示しないハードディスクを有し、このハードディスクに記憶されている曲を再生することができる。再生部２１はコントローラ２５の指示により、ハードディスクに記憶された曲を再生して出力音声切替部２２に出力する。出力音声切替部２２はコントローラ２５の指示に従って、第２のヘッドホン（あるいはイヤホン）２６に出力する音声を、ポータブルオーディオ装置２０にて再生される音声または固定型オーディオ装置１０からＢｌｕｅｔｏｏｔｈ通信部２３を通じて送られてくる音声の何れかに切り替える。
【００１５】
Ｂｌｕｅｔｏｏｔｈ通信部２３は、コントローラ２５の指示に従って固定型オーディオ装置１０と通信を行う。操作部２４は、ユーザからの各種操作を受け付ける。ポータブルオーディオ装置２０には第２のヘッドホン２６が有線で接続されており、ユーザは、再生部２１にて再生された音声または固定型オーディオ装置１０の再生部１１にて再生された音声を第２のヘッドホン２６にて聴取することができる。
【００１６】
コントローラ２５は、ポータブルオーディオ装置２０の全体を制御する。このコントローラ２５は、例えば、ＣＰＵ、ＲＯＭおよびＲＡＭから成るマイクロコンピュータにより構成されている。ＲＯＭには、ポータブルオーディオ装置２０を制御するための各種プログラムが記憶されている。ＣＰＵは、ＲＯＭに記憶されている各種プログラムに従って、ＲＡＭをワークメモリとして使用しながら各種の制御を実行する。コントローラ２５はその機能構成として、第２の認証部４１、切替制御部４２および操作検出部４３を備えている。
【００１７】
操作検出部４３は、ユーザが操作部２４を操作して音声の再生を指示したことを検出する。操作検出部４３は、ユーザからの音声の再生操作を検出すると、再生部２１に音声の再生指示を出す。第２の認証部４１は、Ｂｌｕｅｔｏｏｔｈ通信部２３を制御して認証処理を行い、固定型オーディオ装置１０と通信可能か否か判断する。
【００１８】
切替制御部４２は、通常、再生部２１にて再生される音声を第２のヘッドホン２６に出力するよう出力音声切替部２２を制御している。一方、切替制御部４２は、第２の認証部４１で固定型オーディオ装置１０と通信可能と判断された場合であって、Ｂｌｕｅｔｏｏｔｈ通信部２３を通じて固定型オーディオ装置１０の指示部３４から出力音声の切替指示があったときに、固定型オーディオ装置１０の再生音声を第２のヘッドホン２６に出力するよう出力音声切替部２２を制御する。
【００１９】
なお、出力音声切替部２２にて固定型オーディオ装置１０の再生音声を出力するよう出力先を切り替えた場合には、ポータブルオーディオ装置２０における再生動作を自動的に停止するように制御してもよい。
【００２０】
次に、本実施形態におけるオーディオシステムの動作例について説明する。まず、固定型オーディオ装置１０の動作について説明する。図２は、本実施形態による固定型オーディオ装置１０の動作例を示すフローチャートである。図２において、まず、第１の認証部３２は、Ｂｌｕｅｔｏｏｔｈ通信部１３を制御して外部装置と通信可能か否かの認証を行う（ステップＳ１）。そして、第１の認証部３２は、外部装置と通信可能であるか否か判断する（ステップＳ２）。
【００２１】
例えば、ユーザがポータブルオーディオ装置２０の再生部２１にて再生される音声を第２のヘッドホン２６にて聴取している状態で車内に乗り込み、固定型オーディオ装置１０に近づくと、固定型オーディオ装置１０はポータブルオーディオ装置２０と通信可能な状態になる。この場合、第１の認証部３２は、ポータブルオーディオ装置２０と通信可能であると判断する。
【００２２】
ポータブルオーディオ装置２０と通信可能であると判断された場合、操作検出部３１は、音声の再生操作が行われたか否か判断する（ステップＳ３）。ここで、音声の再生操作が検出されない場合には、ステップＳ３の処理を繰り返す。一方、操作検出部３１にて音声の再生操作が検出された場合には、切替制御部３３の制御により出力先切替部１２にて音声の出力先をＢｌｕｅｔｏｏｔｈ通信部１３に切り替える（ステップＳ４）。
【００２３】
そして、指示部３４はＢｌｕｅｔｏｏｔｈ通信部１３を通じて、固定型オーディオ装置１０の再生音声を出力するようポータブルオーディオ装置２０に指示する（ステップＳ５）。これにより、固定型オーディオ装置１０の再生部１１で音声の再生が行われると（ステップＳ６）、その再生音声は出力先切替部１２にてＢｌｕｅｔｏｏｔｈ通信部１３に出力され、Ｂｌｕｅｔｏｏｔｈ通信部１３によりポータブルオーディオ装置２０へ送信される（ステップＳ７）。
【００２４】
一方、ステップＳ２にて、第１の認証部３２にてポータブルオーディオ装置２０と通信可能と判断されなかった場合には、操作検出部３１は、音声の再生操作が行われたか否か判断する（ステップＳ８）。ここで、音声の再生操作が検出されなかった場合には、ステップＳ１に戻って認証処理を行う。一方、音声の再生操作が検出された場合には、切替制御部３３は出力先切替部１２を制御して音声の出力先を第１のヘッドホン１６に切り替える（ステップＳ９）。これにより、固定型オーディオ装置１０の再生部１１で音声の再生が行われると（ステップＳ１０）、再生された音声が出力先切替部１２から第１のヘッドホン１６へ出力される（ステップＳ１１）。
【００２５】
次に、ポータブルオーディオ装置２０の動作について説明する。図３は、本実施形態によるポータブルオーディオ装置２０の動作例を示すフローチャートである。図３において、まず、第２の認証部４１は、Ｂｌｕｅｔｏｏｔｈ通信部２３を制御して外部装置と通信可能か否かの認証を行う（ステップＳ２１）。そして、第２の認証部４１は、外部装置と通信可能であるか否か判断する（ステップＳ２２）。
【００２６】
例えば、ユーザがポータブルオーディオ装置２０の再生部２１にて再生される音声を第２のヘッドホン２６にて聴取している状態で車内に乗り込み、固定型オーディオ装置１０に近づくと、ポータブルオーディオ装置２０は固定型オーディオ装置１０と通信可能な状態になる。この場合、第２の認証部４１は、固定型オーディオ装置１０と通信可能であると判断する。固定型オーディオ装置１０と通信可能であると判断された場合、切替制御部４２は、固定型オーディオ装置１０からＢｌｕｅｔｏｏｔｈ通信部２３を通じて音声出力先の切替指示があったか否か判断する（ステップＳ２３）。
【００２７】
ここで、音声出力先の切替指示があったと判断すると、切替制御部４２は、Ｂｌｕｅｔｏｏｔｈ通信部２３にて受信される固定型オーディオ装置１０の再生音声を出力するよう出力音声切替部２２を制御する（ステップＳ２４）。これにより、Ｂｌｕｅｔｏｏｔｈ通信部２３にて固定型オーディオ装置１０から再生音声を受信すると（ステップＳ２５）、出力音声切替部２２により第２のヘッドホン２６へ固定型オーディオ装置１０で再生された音声が出力される（ステップＳ２６）。
【００２８】
一方、ステップＳ２２において、固定型オーディオ装置１０と通信可能ではないと第２の認証部４１にて判断されると、切替制御部４２は、再生部２１にて再生される音声を出力するよう出力音声切替部２２を制御する（ステップＳ２７）。そして、操作検出部４３は、音声の再生操作が行われたか否か判断する（ステップＳ２８）。ここで、音声の再生操作が検出されない場合には、ステップＳ２１に戻って、第２の認証部４１により認証処理を行う。一方、ステップＳ２８にて、操作検出部４３にて音声の再生操作が検出された場合には、ポータブルオーディオ装置２０の再生部２１にて音声を再生する（ステップＳ２９）。そして、再生部２１で再生された音声は出力音声切替部２２にて第２のヘッドホン２６に出力される（ステップＳ２６）。
【００２９】
また、ステップＳ２３にて音声出力先の切替指示がないと判断された場合には、切替制御部４２は、再生部２１にて再生される音声を出力するよう出力音声切替部２２を制御する（ステップＳ３０）。そして、操作検出部４３は、音声の再生操作が行われたか否か判断する（ステップＳ３１）。ここで、音声の再生操作が検出されない場合には、ステップＳ２３に戻ってＢｌｕｅｔｏｏｔｈ通信部２３を通じて固定型オーディオ装置１０から出力音声の切替指示があったか否かの判断を繰り返す。一方、ステップＳ３１において、操作検出部４３にて音声の再生操作が検出された場合には、ポータブルオーディオ装置２０の再生部２１にて音声を再生する（ステップＳ３２）。そして、再生された音声は出力音声切替部２２にて第２のヘッドホン２６に出力される（ステップＳ２６）。
【００３０】
以上詳しく説明したように、本実施形態においては、固定型オーディオ装置１０とポータブルオーディオ装置２０とが通信可能と認証され（すなわち、ポータブルオーディオ装置２０が使用状態にあり、ユーザが第２のヘッドホン２６を装着していると推定できる状態で）、固定型オーディオ装置１０に対する再生操作が行われたときには、固定型オーディオ装置１０にて再生される音声をポータブルオーディオ装置２０に送信し、第２のヘッドホン２６から出力するようにした。このため、固定型オーディオ装置１０の再生操作を行うだけで、ポータブルオーディオ装置２０の第２のヘッドホン２６から出力される音声がポータブルオーディオ装置２０の再生音声から固定型オーディオ装置１０の再生音声に切り替えられる。これにより、ユーザはポータブルオーディオ装置２０の第２のヘッドホン２６から固定型オーディオ装置１０の第１のヘッドホン１６へ装着し直すことなく、固定型オーディオ装置１０の再生音声を楽しむことができるようになる。
【００３１】
なお、上述の実施形態では、固定型オーディオ装置１０にて再生される音声をポータブルオーディオ装置２０の第２のヘッドホン２６で聴取可能な旨説明したが、固定型オーディオ装置１０の第１のヘッドホン１６にてポータブルオーディオ装置２０にて再生される音声を聴取できるようにしてもよい。この場合には、固定型オーディオ装置１０の構成とポータブルオーディオ装置２０の構成とを反対にすればよい。
【００３２】
また、上述の実施形態では、固定型オーディオ装置１０の第１のヘッドホン１６およびポータブルオーディオ装置２０の第２のヘッドホン２６をそれぞれ有線で接続するとして説明したが、ワイヤレスヘッドホンで構成するようにしてもよい。図４は、第１のヘッドホン１６および第２のヘッドホン２６をワイヤレスヘッドホンで構成した場合のオーディオシステムの構成例を示す図である。
【００３３】
図４に示すように、固定型オーディオ装置１０の第１のヘッドホン１６はＢｌｕｅｔｏｏｔｈ通信部１７を有し、Ｂｌｕｅｔｏｏｔｈ通信部１３と無線により接続されている。この場合には、Ｂｌｕｅｔｏｏｔｈ通信部１３が出力先切替部１２からの指示を受けて、音声の出力先を第１のヘッドホン１６またはポータブルオーディオ装置２０の何れかに切り替える。
【００３４】
また、図４に示すように、ポータブルオーディオ装置２０の第２のヘッドホン２６もＢｌｕｅｔｏｏｔｈ通信部２７を有し、Ｂｌｕｅｔｏｏｔｈ通信部２３と無線により接続される。この場合には、Ｂｌｕｅｔｏｏｔｈ通信部２３が出力音声切替部２２の指示を受けて、第２のヘッドホン２６に出力する音声を、再生部２１にて再生される音声または固定型オーディオ装置１０から受信した音声の何れかに切り替える。
【００３５】
さらに、ポータブルオーディオ装置２０の第２のヘッドホン２６がワイヤレスヘッドホンの場合には、固定型オーディオ装置１０のＢｌｕｅｔｏｏｔｈ通信部１３から第２のヘッドホン２６へ直接音声を出力するようにしてもよい。この場合には、第２のヘッドホン２６に認証部と出力音声切替部とを備えるように構成する。そして、固定型オーディオ装置１０の第１の認証部３２と第２のヘッドホン２６の認証部とが認証処理を行い、固定型オーディオ装置１０と第２のヘッドホン２６とが通信可能と判断され、かつ、固定型オーディオ装置１０にて音声再生の操作が行われたときに、固定型オーディオ装置１０から第２のヘッドホン２６に再生音声を送信するとともに、第２のヘッドホン２６で固定型オーディオ装置１０からの再生音声を受信して出力音声を切り替えるようにする。
【００３６】
その他、上記本実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００３７】
【図１】本実施形態によるオーディオシステムの構成例を示す図である。
【図２】本実施形態による固定型オーディオ装置の動作例を示すフローチャートである。
【図３】本実施形態によるポータブルオーディオ装置の動作例を示すフローチャートである。
【図４】本実施形態によるオーディオシステムの構成の他の例を示す図である。
【符号の説明】
【００３８】
１０  固定型オーディオ装置
１１  再生部
１２  出力先切替部
１３  Ｂｌｕｅｔｏｏｔｈ通信部
１４  操作部
１５  コントローラ
１６  第１のヘッドホン
２０  ポータブルオーディオ装置
２１  再生部
２２  出力音声切替部
２３  Ｂｌｕｅｔｏｏｔｈ通信部
２４  操作部
２５  コントローラ
２６  第２のヘッドホン
３１  操作検出部
３２  第１の認証部
３３  切替制御部
３４  指示部
４１  第２の認証部
４２  切替制御部
４３  操作検出部
【図１】
2008147900.tif 000003
【図２】
2008147900.tif 000004
【図３】
2008147900.tif 000005
【図４】
2008147900.tif 000006